(57)【要約】【課題】使用者の利便性の向上を図る【解決手段】分電盤１は、分電盤本体１０と、カバー３と、を備える。分電盤本体１０は、外部の電源からの電力を分配する。分電盤本体１０は、キャビネット本体２を備えている。キャビネット本体２は、複数種類のカバー３１、３２、３３、・・・を取り付け可能な取付部２０１及び開口を有している。キャビネット本体２は、開口２０から少なくとも一部が露出するようにブレーカ４０を保持する。カバー３は、複数種類のカバー３１、３２、３３、・・・の中から択一的に選択されて、取付部２０１に取り付けられる。カバー３は、開口２０を露出する開状態と開口２０を覆う閉状態との間で変位可能である。【選択図】図４
2020089076.tif 000002
【特許請求の範囲】
【請求項１】
複数種類のカバーを取り付け可能な取付部及び開口を有しており前記開口から少なくとも一部が露出するようにブレーカを保持するキャビネット本体を備え、外部の電源からの電力を分配する分電盤本体と、
前記複数種類のカバーの中から択一的に選択されて前記取付部に取り付けられ、前記開口を露出する開状態と前記開口を覆う閉状態との間で変位可能であるカバーと、
を備える、
分電盤。
【請求項２】
前記複数種類のカバーのうちの一つは、カバー側接続部に供給された電力により動作する機能部を有し、
前記分電盤本体は、前記カバー側接続部に接続されて前記機能部に電力を供給する本体側接続部を備える、
請求項１に記載の分電盤。
【請求項３】
前記複数種類のカバーのうちの一つは、カバー側通信部と、前記カバー側通信部で受け取った情報に基づいて動作する機能部と、を備え、
前記分電盤本体は、前記カバー側通信部と通信可能な本体側通信部を備える、
請求項１又は２に記載の分電盤。
【請求項４】
前記複数種類のカバーのうちの一つは、ファンを備える、
請求項１〜３のいずれか１項に記載の分電盤。
【請求項５】
前記カバーが前記分電盤本体から落下するのを防止する落下防止機構をさらに備える、
請求項１〜４のいずれか１項に記載の分電盤。
【請求項６】
前記複数種類のカバーのうちの一つは、前記分電盤本体が取り付けられる建物の玄関に設置されるインターホン玄関装置と有線通信することで、前記インターホン玄関装置との間で少なくとも音声信号を送受信する通信機能を有する、
請求項１〜５のいずれか１項に記載の分電盤。
【請求項７】
前記複数種類のカバーのうちの一つは、複数種類のアタッチメントを取り付け可能な付加部を備える、
請求項１〜６のいずれか１項に記載の分電盤。
【請求項８】
前記複数種類のカバーのうちの前記一つは、前記付加部にかかる力に基づき前記アタッチメントの重量を検知する重量検知部を、さらに備える、
請求項７に記載の分電盤。
【請求項９】
前記重量検知部で検知された重量が閾値を超えた場合に報知する報知部を、さらに備える、
請求項８に記載の分電盤。
【発明の詳細な説明】
【技術分野】
【０００１】
本開示は、分電盤に関し、より詳細には、カバーを備えた分電盤に関する。
【背景技術】
【０００２】
特許文献１は、住宅用分電盤（分電盤）を開示する。分電盤は、複数の開閉器が納装され開閉器の操作部が前面に露出する箱体と、箱体の前面を覆う位置と開放する位置との間で開閉するように一端縁が箱体に軸着された扉体と、を備える。
【先行技術文献】
【特許文献】
【０００３】
【特許文献１】特開２００１−１５７３１９号公報
【発明の概要】
【発明が解決しようとする課題】
【０００４】
特許文献１の分電盤では、分電盤の使用者（例えば、分電盤が設置されている住戸の住人）は、予め決まったカバーを備えた分電盤を使うほか無く、利便性が低かった。
【０００５】
本開示の目的は、使用者の利便性の向上を図ることが可能な分電盤を提供することにある。
【課題を解決するための手段】
【０００６】
本開示の一態様に係る分電盤は、分電盤本体と、カバーと、を備える。前記分電盤本体は、外部の電源からの電力を分配する。前記分電盤本体は、キャビネット本体を備える。前記キャビネット本体は、複数種類のカバーを取り付け可能な取付部、及び開口を有している。前記キャビネット本体は、前記開口から少なくとも一部が露出するようにブレーカを保持する。前記カバーは、前記複数種類のカバーの中から択一的に選択されて前記取付部に取り付けられる。前記カバーは、前記開口を露出する開状態と前記開口を覆う閉状態との間で変位可能である。
【発明の効果】
【０００７】
本開示は、使用者の利便性の向上を図ることが可能となる。
【図面の簡単な説明】
【０００８】
【図１】図１は、一実施形態の分電盤の斜視図であり、蓋体を閉じた状態である。
【図２】図２は、同上の分電盤の斜視図であり、蓋体を外した状態である。
【図３】図３は、同上の分電盤の正面図であり、蓋体及び内カバーを外した状態である。
【図４】図４は、同上の分電盤における分電盤本体への複数種類のカバーの取り付けの概念を示す説明図である。
【図５】図５は、同上の分電盤の概略構成を示す説明図である。
【図６】図６は、同上の分電盤において、内カバーへの蓋体の取り付け機構を説明するための概略断面図である。
【図７】図７は、同上の分電盤における、第１蓋体の正面図である。
【図８】図８は、同上の分電盤における、第２蓋体の正面図である。
【図９】図９は、同上の分電盤における、第３蓋体の正面図である。
【図１０】図１０は、同上の分電盤における、第４蓋体の正面図である。
【図１１】図１１は、同上の分電盤における、第５蓋体の正面図である。
【図１２】図１２は、第５蓋体が取り付けられた場合の同上の分電盤の概略構成を示す説明図である。
【図１３】図１３は、第６蓋体が取り付けられた場合の同上の分電盤の概略構成を示す説明図である。
【図１４】図１４は、同上の分電盤における、第７蓋体の正面図である。
【図１５】図１５は、同上の分電盤における、第７蓋体の概略構成を示す説明図である。
【発明を実施するための形態】
【０００９】
（１）概要
図１〜図３に示すように、本実施形態の分電盤１は、分電盤本体１０と、カバー３と、を備えている。分電盤本体１０は、キャビネット本体２と、キャビネット本体に保持される内器と、を備えている。内器は、ブレーカ４０を含んでいる。ここでは、ブレーカ４０は、主幹ブレーカ４１を含んでいる。分電盤本体１０は、外部の電源（系統電源Ｐ１）からの電力を分配するよう構成されている。
【００１０】
図２に示すように、キャビネット本体２は、開口２０を有する。キャビネット本体２は、開口２０から少なくとも一部（例えば、主幹ブレーカ４１の操作レバー４１１）が露出するように、ブレーカ４０（主幹ブレーカ４１）を保持する。
【００１１】
カバー３は、複数種類のカバー３１、３２、３３、・・・（図４参照）の中から、択一的に選択されて、キャビネット本体２に取り付けられる。以下、複数種類のカバー３１、３２、３３、・・・を、「複数種類のカバー３ｉ」と称する。
【００１２】
キャビネット本体２は、複数種類のカバー３ｉを択一的に取り付け可能な取付部２０１を有している。
【００１３】
複数種類のカバー３ｉの各々は、キャビネット本体２に取り付けられた場合において、キャビネット本体２の開口２０を露出する開状態と開口２０を覆う閉状態（図１参照）との間で、変位可能である。
【００１４】
本実施形態の分電盤１では、キャビネット本体２が、複数種類のカバー３ｉを取り付け可能な取付部２０１を有している。そのため、使用者は、分電盤１のカバー３を、複数種類のカバー３ｉの中から自由に選択することができる。したがって、本実施形態の分電盤１によれば、使用者の利便性の向上を図ることができるという利点がある。
【００１５】
（２）詳細
以下、本実施形態の分電盤１について、図１〜図１５を用いて説明する。
【００１６】
以下の説明では、特に断りがない限り、図３に示すＸ軸の方向を左右方向、Ｚ軸の方向を上下方向と規定する。また、Ｘ軸の方向及びＺ軸の方向それぞれと直交する方向を前後方向と規定する。さらに、Ｘ軸の正の向きを右側、Ｚ軸の正の向きを上側と規定する。ただし、これらの方向は一例であり、分電盤１の使用時の方向を限定する趣旨ではない。また、図面中の各軸の向きを示す矢印は説明のために表記しているに過ぎず、実体を伴わない。
【００１７】
上述のように、分電盤１は、キャビネット本体２と、カバー３と、内器（ブレーカ４０等）と、を備えている。ブレーカ４０は、上述のように主幹ブレーカ４１を含んでおり、ここでは、複数の分岐ブレーカ４２と、連系ブレーカ４３と、をさらに含んでいる。また、分電盤１の内器は、計測アダプタ７をさらに含んでいる。
【００１８】
分電盤１は、例えば、戸建て住宅又は集合住宅の住戸等の施設に設置されて使用される。分電盤１が設置される施設は、戸建て住宅又は集合住宅の各住戸に限定されず、非住宅の建物（例えば、工場、商業用ビル、オフィスビル、病院、学校等）であってもよい。
【００１９】
キャビネット本体２は、造営材（例えば建物の壁３００；図３参照）に取り付けられる。キャビネット本体２は、壁３００に設けられた取付孔に一部又は全体が埋め込まれた状態で取り付けられてもよい。キャビネット本体２は、例えば、平均的な身長の子供では手が届かないような高さ位置であって、平均的な身長の大人であれば操作が可能なような高さ位置に設けられる。
【００２０】
施設内において、分電盤１が取り付けられる空間（部屋）の種類は、特に限定されない。施設としての住戸に設置される場合、分電盤１は、例えば、玄関に設置されてもよいし、居間に設置されてもよいし、風呂場に隣接した脱衣所に設置されてもよい。
【００２１】
図２、図３に示すように、主幹ブレーカ４１、複数の分岐ブレーカ４２、連系ブレーカ４３、及び計測アダプタ７は、キャビネット本体２の内部（収容空間）に収容されている。図２に示すように、キャビネット本体２は、開口２０からブレーカ４０（主幹ブレーカ４１、分岐ブレーカ４２、連系ブレーカ４３）の一部（操作レバー４１１、４２１、４３１）が露出するように、ブレーカ４０を保持する。
【００２２】
図３は、キャビネット本体２の内部における主幹ブレーカ４１、複数の分岐ブレーカ４２、連系ブレーカ４３、及び計測アダプタ７の配置を示している。ただし、これらの配置は一例であり、適宜変更が可能である。
【００２３】
主幹ブレーカ４１は、キャビネット本体２の内部において、左右方向の中央よりもやや左側の位置に配置されている。なお、キャビネット本体２の内部での主幹ブレーカ４１の位置は、例えば中央よりも右側等、他の位置であってもよい。主幹ブレーカ４１は、一次側端子と二次側端子との間に電気的に接続された接点を備える。主幹ブレーカ４１は、接点をオン又はオフにするための操作レバー４１１を前面に備えている。また、主幹ブレーカ４１は、接点に流れる短絡電流又は過負荷電流等の過電流を検出すると、接点を開極させるよう構成されている。なお、主幹ブレーカ４１は、例えば接点に漏電電流が流れる異常状態を検出すると接点を開極させる、いわゆる漏電保護機能を有していてもよい。また、主幹ブレーカ４１は、単相三線式配線における中性線の欠相状態を検出すると接点を開極させる、いわゆる中性線欠相保護機能を有していてもよい。また、主幹ブレーカ４１は、所定の制限値を超える電流が流れると接点を開極させる、いわゆるリミッタ機能を有していてもよい。
【００２４】
主幹ブレーカ４１の二次側端子には、単相三線式配線における第１電圧極（Ｌ１相）の導電バー、第２電圧極（Ｌ２相）の導電バー、及び中性極（Ｎ相）の導電バーが接続されている。各導電バーは、導電部材により左右方向に長い長尺板状に形成されており、キャビネット本体２の内部において、上下方向の中央であって主幹ブレーカ４１の右側の位置に配置されている。
【００２５】
複数の分岐ブレーカ４２は、各導電バーの上側と下側とに分かれて、それぞれ複数個ずつ左右方向に並ぶように配置されている。本実施形態では、図３に示すように、各導電バーの上側に、１２個の分岐ブレーカ４２が左右方向に並ぶように配置されている。また、各導電バーの下側に、１２個の分岐ブレーカ４２が左右方向に並ぶように配置されている。
【００２６】
各分岐ブレーカ４２は、一対の一次側端子と、一対の二次側端子と、を備えている。各分岐ブレーカ４２は、一次側端子と二次側端子との間に電気的に接続される接点を有している。各分岐ブレーカ４２の前面には、各分岐ブレーカ４２が内蔵する接点をオン又はオフにするための操作レバー４２１が設けられている。また、分岐ブレーカ４２は、分岐ブレーカ４２が内蔵する接点に、短絡電流又は過負荷電流等の過電流が流れる異常状態を検出すると、接点を開極させるよう構成されている。
【００２７】
図５に示すように、分岐ブレーカ４２の二次側端子には、対応する配線Ｂ１が電気的に接続される。各分岐ブレーカ４２の二次側端子に接続された配線Ｂ１には、例えば、照明器具、給湯設備等の電気機器、コンセント又は壁スイッチ等の配線器具が負荷として１つ以上接続される。したがって、分電盤１は、分岐ブレーカ４２の二次側端子に配線Ｂ１を介して接続された電気機器、又はコンセントに接続された電気機器（例えば空調機器又はテレビ受像器等）等に、電力を供給することができる。
【００２８】
連系ブレーカ４３には、分散電源が接続される。連系ブレーカ４３は、主幹ブレーカ４１の二次側端子に電気的に接続された導電バーと、分散電源との間に電気的に接続される。連系ブレーカ４３の接点がオンになると、分散電源が系統電源Ｐ１と連系して負荷に電力を供給することができる。一方、連系ブレーカ４３の接点がオフになると、分散電源が系統電源Ｐ１から解列される。
【００２９】
図３に示すように、計測アダプタ７は、キャビネット本体２の内部において、主幹ブレーカ４１の左側に配置されている。計測アダプタ７は、分電盤１内の主幹ブレーカ４１、分岐ブレーカ４２、及び連系ブレーカ４３のうちの少なくとも一つを通過する電力を計測する計測機能、及びキャビネット本体２の外部に配置された機器と通信する通信機能を有している。
【００３０】
例えば、計測アダプタ７は、主幹ブレーカ４１に流れる電流を計測する主幹電流検知部並びに、複数の分岐ブレーカ４２及び連系ブレーカ４３に流れる電流を計測する分岐電流検知部と、電気的に接続されている。主幹電流検知部は、例えば、カレントトランス（ＣＴ）からなる電流センサを備えている。また、分岐電流検知部は、例えば、複数の分岐ブレーカ４２及び連系ブレーカ４３それぞれの一次側端子の周りに配置されるコイル（ロゴスキコイル）を含む電流センサを備えている。そして、計測アダプタ７は、主幹電流検知部及び分岐電流検知部が計測した電流の値のそれぞれを電力値に変換する機能（計測機能）を有している。
【００３１】
また、計測アダプタ７は、ＨＥＭＳ（Home Energy Management System）に対応する機器（以下、ＨＥＭＳ対応機器という）の制御を行うように構成されたコントローラとの間で通信する機能（通信機能）を有している。ここに、ＨＥＭＳ対応機器は、例えばスマートメータ、太陽光発電装置、蓄電装置、燃料電池、電気自動車、エアコン、照明器具、給湯装置、冷蔵庫、又はテレビ受像機等を含む。なお、ＨＥＭＳ対応機器は、これらの機器に限定されない。
【００３２】
計測アダプタ７とコントローラとの間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ７とコントローラとの間の通信方式は、有線ＬＡＮ（Local Area Network）等の通信規格に準拠した有線通信であってもよい。また、計測アダプタ７とコントローラとの間の通信における通信プロトコルは、例えばＥｔｈｅｒｎｅｔ（登録商標）、ＥＣＨＯＮＥＴ  Ｌｉｔｅ（登録商標）等を用いてもよい。
【００３３】
図１に示すように、分電盤１は、ボディ１１と、内カバー１２と、蓋体１３と、を備えている。
【００３４】
本実施形態では、ボディ１１及び内カバー１２が、キャビネット本体２（複数種類のカバー３ｉを取り付け可能な取付部２０１及び開口２０を有しており、開口２０から少なくとも一部が露出するようにブレーカ４０を保持するキャビネット本体２）を、構成する。また、本実施形態では、蓋体１３が、カバー３（キャビネット本体２の開口２０を露出する開状態と開口２０を覆う閉状態との間で変位可能であるカバー３）を構成する。
【００３５】
図３に示すように、ボディ１１は、前面に開口１１０を有する箱状である。ここでは、ボディ１１は、前面の全体が開口している。主幹ブレーカ４１、複数の分岐ブレーカ４２、連系ブレーカ４３、及び計測アダプタ７は、ボディ１１に直接又は取付用の部品等を介して保持されている。
【００３６】
ボディ１１は、後壁１１１と、４つの側壁１１２１〜１１２４と、を有している。
【００３７】
後壁１１１は、前後方向に厚さを有する矩形板状であり、その中央に矩形状の開口１１１０を有している。すなわち、後壁１１１は、矩形枠状である。ボディ１１では、後壁１１１における開口１１１０の上側の部分と下側の部分とに架け渡されるように、第１ブリッジ１１３及び第２ブリッジ１１４が取り付けられる。第１ブリッジ１１３は、前面視Ｈ字状である。第１ブリッジ１１３は、キャビネット本体２の内部において、左右方向の中央よりもやや左側の位置に配置されている。第１ブリッジ１１３上に、主幹ブレーカ４１が配置されている。第２ブリッジ１１４は、前面視Ｉ字状である。第２ブリッジ１１４は、後壁１１１の開口１１１０の右端に配置されている。また、ボディ１１では、第１ブリッジ１１３と第２ブリッジ１１４とに架け渡されるように、左右方向に長い矩形の底板１１５が設けられている。複数の分岐ブレーカ４２及び連系ブレーカ４３は、底板１１５上に配置されている。なお、計測アダプタ７は、後壁１１１における開口１１１０よりも左側の部分に、適宜のベース部材を用いて取り付けられる。
【００３８】
４つの側壁１１２１〜１１２４は、後壁１１１の外周の４つの辺から、前方に突出している。４つの側壁１１２１〜１１２４は、後壁１１１の上辺から前方に突出する上壁１１２１、後壁１１１の下辺から前方に突出する下壁１１２２、後壁１１１の左辺から前方に突出する左壁１１２３、及び後壁１１１の右辺から前方に突出する右壁１１２４を含む。４つの側壁１１２１〜１１２４は、前方から見て、矩形の枠状を形成する。図３に示すように、左壁１１２３及び右壁１１２４の各々の前面の中央には、後方及び左右方向の外向きに凹んだ凹所１１６が形成されている。凹所１１６内には、凹所１１６の後端よりも前側（図３の紙面手前側）の位置に、上向きに突出する突部１１６０が設けられている。つまり、凹所１１６（空間）の形状は、左右方向から見て、逆Ｕ字状となっている。
【００３９】
図２に示すように、内カバー１２は、ボディ１１の前面の開口１１０を覆うように、ボディ１１に取り付けられる。内カバー１２は、ボディ１１の前側に位置する前壁１２１と、４つの側壁１２２１〜１２２４と、を備えている。
【００４０】
前壁１２１は、正面視矩形状である。前壁１２１の前面が、内カバー１２の前面を構成する。前壁１２１は、内カバー１２がボディ１１に取り付けられた状態で、ボディ１１の開口１１０を覆う。図２に示すように、前壁１２１は、３つの開口２０を有している。３つの開口２０は、内カバー１２がボディ１１に取り付けられた状態で、主幹ブレーカ４１の操作レバー４１１、複数の分岐ブレーカ４２の操作レバー４２１、及び連系ブレーカ４３の操作レバー４３１を露出可能な位置に、形成されている。つまり、内カバー１２の開口２０は、内カバー１２がボディ１１に取り付けられた状態で、ブレーカ４０の一部（操作レバー４１１、４２１、４３１）を露出させる。使用者は、内カバー１２がボディ１１に取り付けられた状態で、ブレーカ４０の上記一部（操作レバー４１１、４２１、４３１）を操作可能である。
【００４１】
４つの側壁１２２１〜１２２４は、前壁１２１の外周の４つの辺から、後方に突出している。４つの側壁１２２１〜１２２４は、前壁１２１の上辺から後方に突出する上壁１２２１、前壁１２１の下辺から後方に突出する下壁１２２２、前壁１２１の左辺から後方に突出する左壁１２２３、及び前壁１２１の右辺から後方に突出する右壁１２２４を含む。４つの側壁１２２１〜１２２４は、前方から見て、矩形の枠状を形成する。内カバー１２がボディ１１に取り付けられた状態で、内カバー１２の上壁１２２１、下壁１２２２、左壁１２２３、及び右壁１２２４は、ボディ１１の上壁１１２１、下壁１１２２、左壁１１２３、及び右壁１１２４の外側にそれぞれ位置する。
【００４２】
図２に示すように、前壁１２１の上下方向の中央において、左壁１２２３及び右壁１２２４の各々との境界付近には、上下方向に長い貫通孔１２３が形成されている。貫通孔１２３は、前方から内カバー１２をボディ１１に被せたときに、前後方向においてボディ１１の凹所１１６と重なる位置にある。内カバー１２の貫通孔１２３とボディ１１の凹所１１６とは、内カバー１２をボディ１１に取り付ける際に利用される。
【００４３】
例えば、内カバー１２は、２つの貫通孔１２３にそれぞれ差し込まれた２つのスライダ１２４を用いて、ボディ１１に取り付けられる。スライダ１２４は、上下方向又は前後方向に動かされても、貫通孔１２３から抜けない形状を有している。また、スライダ１２４の後端（図２の紙面奥側の端）には、左右方向から見て逆Ｕ字状の引っ掛け部が形成されている。スライダ１２４が取り付けられた状態の内カバー１２をボディ１１に被せると、スライダ１２４の引っ掛け部が、ボディ１１の凹所１１６内に差し込まれる。この状態で、スライダ１２４を下向きにスライドさせると、スライダ１２４の引っ掛け部が、ボディ１１の凹所１１６内の突部１１６０に嵌合される。これにより、内カバー１２がボディ１１に取り付けられる。逆に、２つのスライダ１２４を上向きにスライドさせると、スライダ１２４の引っ掛け部が、突部１１６０から外れる。この状態で、内カバー１２を手前側に引けば、内カバー１２をボディ１１から取り外すことができる。
【００４４】
蓋体１３は、キャビネット本体２が壁３００に取り付けられた状態で内カバー１２の前壁１２１の前面を覆う。蓋体１３は、閉位置と開位置との間で移動可能な状態で、取り外し可能に内カバー１２に取り付けられる。閉位置は、内カバー１２の前面を覆う位置である。言い換えれば、蓋体１３は、閉位置にある状態（閉状態）では、内カバー１２の開口２０を覆う。なお、本実施形態では、閉状態にある蓋体１３は、内カバー１２を前方から見た場合に内カバー１２の前面のほぼ全体を覆っている。開位置は、内カバー１２の前面の少なくとも一部（開口２０）を覆わない位置である。言い換えれば、蓋体１３は、開位置にある状態（開状態）では、内カバー１２の開口２０を露出する。
【００４５】
図６に示すように、内カバー１２（キャビネット本体２）は、第１取付部（取付部）２０１を備えている。蓋体１３（カバー３）は、第１取付部２０１に対して着脱可能に結合される第２取付部３０１を備えている。本実施形態では、第１取付部２０１は、内カバー１２の前壁１２１の上端に設けられている一対の切り欠き１２１０内に配置された、左右方向に長い保持棒１２１１を備える（図２、図６参照）。第２取付部３０１は、内カバー１２の保持棒１２１１に嵌め込まれるスナップリング１３０を備える（図６参照）。スナップリング１３０は、蓋体１３の上端であって左右方向において内カバー１２の保持棒１２１１に対応する位置に、設けられている。スナップリング１３０を保持棒１２１１に嵌めることで、蓋体１３が内カバー１２に取り付けられる。第１取付部２０１と第２取付部３０１とで、内カバー１２に対して蓋体１３を取り外し可能に結合する取り付け機構が構成される。
【００４６】
図６に示すように、分電盤１は、落下防止機構５をさらに備えている。ここでの落下防止機構５は、いわゆる落下防止ワイヤ５０であり、第１端にリングを有し第２端にリングフックを有する鋼線から構成される。落下防止ワイヤ５０は、蓋体１３の上端を貫通するように蓋体１３に設けられている。落下防止ワイヤ５０の第１端を、内カバー１２における切り欠き１２１０の部分と保持棒１２１１との間の隙間Ｇ１に通した後に、リングフックをリングに引っ掛けることで、内カバー１２と蓋体１３とが落下防止ワイヤ５０によって結合される。つまり、分電盤１は、カバー３（蓋体１３）が分電盤本体１０（内カバー１２）から落下するのを防止する落下防止機構５を備えている。なお、落下防止機構５は、落下防止ワイヤに限られず、落下防止ワイヤ５０の鋼線部分がばねにより構成された、いわゆる落下防止ばねでもよい。
【００４７】
本実施形態では、蓋体１３は、複数種類の蓋体１３ｉの中から択一的に選択されて、内カバー１２に取り付けられる。本実施形態では、複数種類の蓋体１３ｉは、複数種類のカバー３ｉにそれぞれ対応する。
【００４８】
以下に、複数種類の蓋体１３ｉについて、図７〜図１５を参照して、具体的に説明する。
【００４９】
複数種類の蓋体１３ｉは、他の蓋体の基準となる第１蓋体１３１を含んでいる。複数種類の蓋体１３ｉの各々は、第１蓋体１３１に対して、外観及び機能のうちの少なくとも一方が異なっている。複数種類の蓋体１３ｉの各々は、第１蓋体１３１に対して、機能が異なっていることが好ましい。
【００５０】
第１蓋体１３１に対して外観が異なるとは、使用者（蓋体１３を観察する観察者）に対して、第１蓋体１３１とは異なる視覚的印象を与え得ることを意味する。第１蓋体１３１に対して外観が異なるとは、例えば、前面の色が、一般的な使用者が認識可能な程度に第１蓋体１３１の前面の色と異なっていることを含む。第１蓋体１３１に対して外観が異なるとは、例えば、前面の模様が、一般的な使用者が認識可能な程度に第１蓋体１３１の前面の模様と異なっていることを含む。第１蓋体１３１に対して外観が異なるとは、例えば、その形状と寸法とのうちの少なくとも一方が、第１蓋体１３１のそれと異なっていることを含む。
【００５１】
第１蓋体１３１に対して機能が異なるとは、第１蓋体１３１が有する機能に代えて別の機能を有していることを含む。第１蓋体１３１に対して機能が異なるとは、第１蓋体１３１が有する機能に加えて別の機能を有していること、及び第１蓋体１３１が有する機能を有していないことも、含み得る。
【００５２】
図７は、複数種類の蓋体１３ｉのうちの一つであり他の蓋体の基準となる第１蓋体１３１を示す。第１蓋体１３１は、前面視の形状が、他の蓋体の基準となる形状である矩形状である。また、第１蓋体１３１は、前面の色が、他の蓋体の基準となる色である白色である。また、第１蓋体１３１は、他の蓋体の基準となる機能として、複数の機能を有している。第１蓋体１３１が有する複数の機能は、例えば、キャビネット本体２内の内器（ブレーカ４０等）への異物の到達を防止する異物防止機能、内器等への使用者の不用意な接触を防止して使用者を保護する使用者保護機能、内器を湿気から保護する防湿機能等を含む。
【００５３】
図８は、複数種類の蓋体１３ｉのうちの一つである第２蓋体１３２を示す。第２蓋体１３２は、前面の色がグレーである。すなわち、第２蓋体１３２は、第１蓋体１３１に対して前面の色が異なっており、第１蓋体１３１に対して外観が異なっている。
【００５４】
図９は、複数種類の蓋体１３ｉのうちの一つである第３蓋体１３３を示す。第３蓋体１３３は、その前面に、時間情報を表示するための時計１３３１が一体に設けられている。すなわち、第３蓋体１３３は、時間情報を表示する時間表示機能を有している。ここでは、時計１３３１は時刻（現在時刻）を示す。時計１３３１は、例えば、第３蓋体１３３に内蔵された電池からの電力供給を受けて動作する。図９の例では、時計１３３１はアナログ時計であるが、これに限らず、デジタル時計であってもよい。
【００５５】
図１０は、複数種類の蓋体１３ｉのうちの一つである第４蓋体１３４を示す。第４蓋体１３４は、その前壁に、動作することで前方に風を送るファン１３４１を備えている。すなわち、第４蓋体１３４は、前方に風を送る送風機能を有している。ファン１３４１は、第４蓋体１３４の右下の部分に配置されている。ファン１３４１は、例えば、第４蓋体１３４に内蔵された電池からの電力供給を受けて動作する。ファン１３４１は、第４蓋体１３４の前壁に形成された貫通孔内に、配置されている。
【００５６】
このように、複数種類の蓋体１３ｉ（複数種類のカバー３ｉ）のうちの一つ（第４蓋体１３４）は、ファン１３４１を備えている。例えば、ファン１３４１が生成する風によって、分電盤１内の電路で発生した熱を外部に放出させることで、分電盤１の内部空間を冷却したり、分電盤１が設置されている部屋の温度を上昇させたりすることが可能となる。なお、ファン１３４１は、動作することで後方に風を送る構成であってもよい。この場合、ファン１３４１を動作させることで、キャビネット本体２に収容された内器等を冷却することができる。
【００５７】
図１１は、複数種類の蓋体１３ｉのうちの一つである第５蓋体１３５を示す。第５蓋体１３５は、その前面に、ディスプレイ１３５１（機能部）を備えている。
【００５８】
また、第５蓋体１３５は、図１２に示すように、カバー側接続部１３５２としてのコネクタを備えている。カバー側接続部１３５２は、複数の分岐ブレーカ４２のうちの一つに接続されているコネクタ（本体側接続部５１）に、接続可能である。ディスプレイ１３５１（機能部）は、この本体側接続部５１及びカバー側接続部１３５２を介して供給された電力により、動作する。要するに、第５蓋体１３５は、機能部の動作用の電力を分電盤本体１０から受け取る受電機能を有している。
【００５９】
このように、複数種類の蓋体１３ｉ（複数種類のカバー３ｉ）のうちの一つ（第５蓋体１３５）は、カバー側接続部１３５２に供給された電力により動作する機能部（ディスプレイ１３５１）を有している。分電盤本体１０は、カバー側接続部１３５２に接続されて機能部（ディスプレイ１３５１）に電力を供給する本体側接続部５１を備えている。
【００６０】
また、第５蓋体１３５は、図１２に示すように、カバー側通信部１３５３を備えている。カバー側通信部１３５３は、計測アダプタ７との間で通信する機能を有している。図１２では、電気的接続を実線で示し、通信的接続を破線で示している。ディスプレイ１３５１は、カバー側通信部１３５３で受け取った情報に基づいて、画面を表示する。計測アダプタ７とカバー側通信部１３５３との間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ７とカバー側通信部１３５３との間の通信方式は、有線ＬＡＮ（Local Area Network）等の通信規格に準拠した有線通信であってもよい。要するに、第５蓋体１３５は、分電盤本体１０と通信する通信機能（第１通信機能）を有している。
【００６１】
このように、複数種類の蓋体１３ｉ（複数種類のカバー３ｉ）のうちの一つ（第５蓋体１３５）は、カバー側通信部１３５３と、カバー側通信部（１３５３）で受け取った情報に基づいて動作する機能部（ディスプレイ１３５１）と、を備える。分電盤本体１０は、カバー側通信部１３５３と通信可能な本体側通信部（計測アダプタ７）を備える。なお、本体側接続部は、計測アダプタ７に限られず、カバー側通信部１３５３と通信可能な専用のインターフェース等であってもよい。
【００６２】
本実施形態では、蓋体１３としての第５蓋体１３５が内カバー１２に取り付けられると、第５蓋体１３５のディスプレイ１３５１は、カバー側接続部１３５２に供給された電力により動作し、カバー側通信部１３５３で受け取った情報を表示する。
【００６３】
図１３は、複数種類の蓋体１３ｉのうちの一つである第６蓋体１３６を蓋体１３として備えた分電盤１の概略を示す。第６蓋体１３６は、図１３に示すように、通信部１３６１と、通話部１３６２と、を備えている。通信部１３６１は、通信インターフェースであり、インターホン玄関装置（玄関装置）６０が接続されている。通信部１３６１は、接続された玄関装置６０との間で通信を行う。通話部１３６２は、スピーカとマイクロホンとを備えている。スピーカは、通信部１３６１を介して玄関装置６０から受け取った音信号（電気信号）を、音に変換する。マイクロホンは、音を音信号（電気信号）に変換して、音信号を通信部１３６１からインターホン玄関装置６０へ送信させる。通話部１３６２は、玄関装置６０とともに、住戸への来訪者と住戸の住人との間の通話に用いられる。通信部１３６１及び通話部１３６２の動作電力は、第６蓋体１３６に設けられているカバー側接続部１３６３、及び分電盤本体１０の本体側接続部５１を介して分電盤本体１０から供給される。
【００６４】
このように、複数種類の蓋体１３ｉ（複数種類のカバー３ｉ）のうちの一つ（第６蓋体１３６）は、分電盤本体１０が取り付けられる建物の玄関に設置されるインターホン玄関装置６０と有線通信することで、インターホン玄関装置６０との間で少なくとも音声信号を送受信する通信機能（第２通信機能）を有する。なお、第６蓋体１３６は、操作者（住人）の操作を受け付け、操作を受け付けたときに玄関装置６０との接続を確立させる操作部、カメラ等で撮影された画像を表示するための表示部等の、インターホン装置が備え得る機能を実現する構成をさらに備えていてもよい。
【００６５】
図１４は、複数種類の蓋体１３ｉのうちの一つである第７蓋体１３７を示す。第７蓋体１３７は、その前面に、複数種類のアタッチメントを取り付け可能な付加部１３７１を備えている。第７蓋体１３７では、付加部１３７１は、薄型モニタ、薄型ディスプレイ等を壁、アームスタンド等に固定するための規格を定めたＶＥＳＡ（Video Electronics Standards Association）規格に従って形成された、ねじを通すための複数の孔を備えている。図１４の例では、付加部１３７１は、「ＭＩＳ−Ｄ」の規格に従う４つの孔と、「ＭＩＤ−Ｅ」の規格に従う４つの孔とを備えている。そのため、第７蓋体１３７には、ＶＥＳＡ規格に従う複数種類のアタッチメント（ディスプレイ、携帯端末等）を、択一的に取り付け可能である。すなわち、第７蓋体１３７は、付加部１３７１にアタッチメントを取り付けることで分電盤１に更なる機能を追加する付加機能を有している。
【００６６】
このように、複数種類の蓋体１３ｉ（複数種類のカバー３ｉ）のうちの一つ（第７蓋体１３７）は、複数種類のアタッチメントを取り付け可能な付加部１３７１を備える。なお、付加部１３７１は、ＶＥＳＡ規格に従うアタッチメントを取り付けるための構造に限られず、機器（アタッチメント）を引っ掛けて保持するためのフック等であってもよい。また、アタッチメントは、ディスプレイ、携帯端末等の、ＶＥＳＡ規格に適合するマウント部を備えた一般的な電気機器に限られず、時計、ファン等の他の電気機器であってもよいし、鏡等の電気機器以外の機器であってもよい。
【００６７】
第７蓋体１３７は、図１５に示すように、付加部１３７１にかかる力に基づきアタッチメントの重量を検知する重量検知部１３７２をさらに備えている。重量検知部１３７２は、例えばひずみゲージを備えている。重量検知部１３７２は、第７蓋体１３７の変形（ひずみ）から、付加部１３７１に取り付けられているアタッチメントの重量を検知する。
【００６８】
また、第７蓋体１３７は、図１５に示すように、重量検知部１３７２で検知された重量が閾値を超えた場合に報知する報知部１３７３をさらに備えている。報知部１３７３は、視覚的情報（音声等）及び聴覚的情報（光、表示等）により、報知を行う。報知部１３７３は、視覚的情報のみで報知を行ってもよいし、聴覚的情報のみで報知を行ってもよい。なお、報知部１３７３は、分電盤本体１０に設けられていてもよい。
【００６９】
上記の第１蓋体１３１〜第７蓋体１３７は、いずれも、図６に示す第２取付部３０１を備えている。そのため、第１蓋体１３１〜第７蓋体１３７の各々は、第１取付部２０１を有する内カバー１２に、択一的に取り付けることが可能である。
【００７０】
このように、本実施形態の分電盤１では、分電盤本体１０（内カバー１２）が、複数種類のカバー３ｉ（複数種類の蓋体１３ｉ）を取り付け可能な取付部２０１を有している。そのため、使用者は、分電盤１のカバー３を、複数種類のカバー３１、３２、３３、・・・の中から自由に選択することができる。したがって、本実施形態の分電盤１によれば、使用者の利便性の向上を図ることができるという利点がある。
【００７１】
（３）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００７２】
複数種類の蓋体１３ｉは、上記の第１蓋体１３１〜第７蓋体１３７に限られない。複数種類の蓋体１３ｉは、上記の第１蓋体１３１〜第７蓋体１３７以外の別の蓋体をさらに含んでいてもよい。別の蓋体の例としては、例えば、物品を保持する保持部（フック、ＤＩＮ（Deutsche Industrie Normen）レール等）を備えた蓋体、前面に鏡を備えた蓋体、無線ＬＡＮ（Local Area Network）の中継装置（いわゆるルータ）を備えた蓋体、無線通信用のインターフェースを備え、受信した無線信号に基づいて発光する蓋体、等が挙げられる。さらに、複数種類の蓋体１３ｉは、第１蓋体１３１〜第７蓋体１３７及び上記別の蓋体のうちの複数の蓋体の機能を併せ持った蓋体を、さらに含んでもよい。もちろん、複数種類の蓋体１３ｉは、上記の第１蓋体１３１〜第７蓋体１３７（及び上記別の蓋体）のうちの少なくとも一つを含まなくてもよい。
【００７３】
カバー３（蓋体１３）の分電盤本体１０（内カバー１２）への取り付け構造は、実施形態の構造に限られない。例えば、第１取付部２０１の構造と第２取付部３０１の構造とが実施形態とは逆であってもよい。或いは、第１取付部２０１と第２取付部３０１とは、ヒンジ構造のように、一方が一対の突部を有し他方が一対の凹部を有し、一対の凹部に対して回転可能に一対の突部が嵌め込まれる構造、等であってもよい。
【００７４】
重量検知部１３７２及び／又は報知部１３７３が、分電盤本体１０に設けられていてもよい。この場合、重量検知部１３７２は、例えば取付部２０１にかかる力に基づき、取付部２０１に取り付けられているカバー３の重量を検知してもよい。
【００７５】
上記の実施形態では、ボディ１１及び内カバー１２がキャビネット本体２を構成し、蓋体１３がカバー３を構成している。つまり、分電盤本体１０が、ボディ１１、内カバー１２、及び内器を備えており、カバー３が蓋体１３を備えている。そして、複数種類の蓋体１３ｉが、複数種類のカバー３ｉに対応している。しかしながら、本開示の分電盤１は、これに限られない。
【００７６】
例えば、ボディ１１がキャビネット本体２を構成し、内カバー１２及び蓋体１３がカバー３を構成してもよい。つまり、分電盤本体１０が、ボディ１１及び内器を備えており、カバー３が、内カバー１２及び蓋体１３を備えていてもよい。この場合、複数種類の蓋体１３ｉと内カバー１２との組み合わせが、複数種類のカバー３ｉに対応する。なお、この場合には、内カバー１２は、蓋体１３に取り外し不可能に結合されていてもよい。
【００７７】
或いは、分電盤１は、内カバー１２を備えずに、蓋体１３がボディ１１に取り外し可能に取り付けられてもよい。すなわち、ボディ１１がキャビネット本体２を構成し、蓋体１３がカバー３を構成してもよい。つまり、分電盤本体１０が、ボディ１１及び内器を備えており、カバー３が蓋体１３を備えていてもよい。この場合、複数種類の蓋体１３ｉが、複数種類のカバー３ｉに対応する。
【００７８】
或いは、分電盤１は、蓋体１３を備えずに、内カバー１２がボディ１１に取り外し可能に取り付けられてもよい。すなわち、ボディ１１がキャビネット本体２を構成し、内カバー１２がカバー３を構成してもよい。つまり、分電盤本体１０が、ボディ１１及び内器を備えており、カバー３が内カバー１２を備えていてもよい。この場合、内カバー１２は、複数種類の内カバーの中から選択されて、ボディ１１に取り付けられる。また、ボディ１１の開口１１０が、キャビネット本体２の開口に相当する。そして、複数種類の内カバーが、複数種類のカバー３ｉに対応する。
【００７９】
（４）まとめ
以上説明した実施形態及び変形例等から以下の態様が開示されている。
【００８０】
第１の態様の分電盤（１）は、分電盤本体（１０）と、カバー（３）と、を備える。分電盤本体（１０）は、外部の電源（系統電源Ｐ１）からの電力を分配する。分電盤本体（１０）は、キャビネット本体（２）を備えている。キャビネット本体（２）は、複数種類のカバー（３１、３２、３３、・・・）を取り付け可能な取付部（２０１）及び開口（２０）を有している。キャビネット本体（２）は、開口（２０）から少なくとも一部が露出するようにブレーカ（４０）を保持する。カバー（３）は、複数種類のカバー（３１、３２、３３、・・・）の中から選択されて、取付部（２０１）に取り付けられる。カバー（３）は、開口（２０）を露出する開状態と開口（２０）を覆う閉状態との間で変位可能である。
【００８１】
この態様によれば、使用者は、分電盤（１）のカバー（３）を、複数種類のカバー（３１、３２、３３、・・・）の中から自由に選択することができる。したがって、本実施形態の分電盤１によれば、使用者の利便性の向上を図ることができるという利点がある。
【００８２】
第２の態様の分電盤（１）は、第１の態様において、複数種類のカバー（３１、３２、３３、・・・）のうちの一つ（第５蓋体１３５）は、カバー側接続部（１３５２）に供給された電力により動作する機能部（ディスプレイ１３５１）を有する。分電盤本体（１０）は、カバー側接続部（１３５２）に接続されて機能部に電力を供給する本体側接続部（５１）を備える。
【００８３】
この態様によれば、カバー（３）に設けられている機能部の動作電力を、分電盤本体（１０）から供給することが可能となる。
【００８４】
第３の態様の分電盤（１）は、第１又は第２の態様において、複数種類のカバー（３１、３２、３３、・・・）のうちの一つ（第５蓋体１３５）は、カバー側通信部（１３５３）と、カバー側通信部（１３５３）で受け取った情報に基づいて動作する機能部（ディスプレイ１３５１）と、を備える。分電盤本体（１０）は、カバー側通信部（１３５３）と通信可能な本体側通信部（計測アダプタ７）を備える。
【００８５】
この態様によれば、カバー（３）の機能部を、分電盤本体（１０）から送信した情報に基づいて動作させることが可能となる。
【００８６】
第４の態様の分電盤（１）は、第１〜第３のいずれか１つの態様において、複数種類のカバー（３１、３２、３３、・・・）のうちの一つ（第４蓋体１３４）は、ファン（１３４１）を備える。
【００８７】
この態様によれば、ファン（１３４１）によって、分電盤（１）の前方又は分電盤（１）の内部を冷却することが可能となり、使用者の利便性の向上を図ることができる。
【００８８】
第５の態様の分電盤（１）は、第１〜第４のいずれか１つの態様において、カバー（３）が分電盤本体（１０）から落下するのを防止する落下防止機構（５）をさらに備える。
【００８９】
この態様によれば、カバー（３）の予期しない落下の可能性が低減され、使用者の利便性の向上を図ることができる。
【００９０】
第６の態様の分電盤（１）は、第１〜第５のいずれか１つの態様において、複数種類のカバー（３１、３２、３３、・・・）のうちの一つは、分電盤本体（１０）が取り付けられる建物の玄関に設置されるインターホン玄関装置（６０）と有線通信することで、インターホン玄関装置（６０）との間で少なくとも音声信号を送受信する通信機能を有する。
【００９１】
この態様によれば、インターホン機能を備えた分電盤（１）を提供することが可能となり、使用者の利便性の向上を図ることができる。
【００９２】
第７の態様の分電盤（１）は、第１〜第６のいずれか１つの態様において、複数種類のカバー（３１、３２、３３、・・・）のうちの一つ（第７蓋体１３７）は、複数種類のアタッチメントを取り付け可能な付加部（１３７１）を備える。
【００９３】
この態様によれば、付加部（１３７１）にアタッチメントを取り付けることで、カバー（３）に更なる機能を付加することが可能となる。
【００９４】
第８の態様の分電盤（１）は、第７の態様において、複数種類のカバー（３１、３２、３３、・・・）のうちの一つ（第７蓋体１３７）は、付加部（１３７１）にかかる力に基づきアタッチメントの重量を検知する重量検知部（１３７２）を、さらに備える。
【００９５】
この態様によれば、付加部（１３７１）に取り付けられたアタッチメントの重量を検知することが可能となり、検知された重量に応じた対処を取ることが可能となる。
【００９６】
第９の態様の分電盤（１）は、第８の態様において、重量検知部（１３７２）で検知された重量が閾値を超えた場合に報知する報知部（１３７３）を、さらに備える。
【００９７】
この態様によれば、カバー（３）に過重量がかかっていることを使用者に知らせることが可能となる。
【００９８】
第２〜第９の態様に係る構成は、分電盤（１）に必須の構成ではなく、適宜省略可能である。
【符号の説明】
【００９９】
１  分電盤
１０  分電盤本体
２  キャビネット本体
２０  開口
２０１  取付部
３、３１、３２、３３  カバー
４０  ブレーカ
５  落下防止機構
５１  本体側接続部
６０  インターホン玄関装置
７  計測アダプタ（本体側通信部）
１３４  第４蓋体
１３４１  ファン
１３５  第５蓋体
１３５１  ディスプレイ（機能部）
１３５２  カバー側接続部
１３５３  カバー側通信部
１３７  第７蓋体
１３７１  付加部
１３７２  重量検知部
１３７３  報知部
【図１】
2020089076.tif 000003
【図２】
2020089076.tif 000004
【図３】
2020089076.tif 000005
【図４】
2020089076.tif 000006
【図５】
2020089076.tif 000007
【図６】
2020089076.tif 000008
【図７】
2020089076.tif 000009
【図８】
2020089076.tif 000010
【図９】
2020089076.tif 000011
【図１０】
2020089076.tif 000012
【図１１】
2020089076.tif 000013
【図１２】
2020089076.tif 000014
【図１３】
2020089076.tif 000015
【図１４】
2020089076.tif 000016
【図１５】
2020089076.tif 000017